(57)【要約】      （修正有）【課題】軽量化を図りつつ強度に優れ、防水、防錆性を有し、扉部分の破損や不正開扉をなくして防犯性を高めた荷物受取用宅配ボックスを提供する。【解決手段】正面が開口し、上下面、左右側面および背面が閉塞され、かつ、少なくとも外面全体に補強リブが一体に成形された合成樹脂製の本体部１と、この本体部１の左右側面および上面を覆うように形成された合成樹脂製の化粧板４と、本体部１の正面に装着され、かつ、電動鍵機構部６による施錠、解錠ならびに捺印機能を有する合成樹脂製開閉扉５とを有し、この合成樹脂製開閉扉５は該開閉扉の外側部が本体部の正面開口部の内側面に囲包されるように本体部１に蝶番連結されている。【選択図】図５
2020005899.tif 000002
【特許請求の範囲】
【請求項１】
正面に開口部を有し、上下面、左右側面および背面が閉塞され樹脂成形加工により一体に形成されてなる本体部と、前記本体部の少なくとも左右側面および上面を覆うように形成された化粧板と、前記本体部に連結されてなり前記開口部を開閉自在とする開閉扉とを有し、前記開閉扉には施錠機構が設けられてなることを特徴とする荷物受取用宅配ボックス。
【請求項２】
本体部の少なくとも外面に補強リブが形成されてなることを特徴とする請求項１に記載の荷物受取用宅配ボックス。
【請求項３】
補強リブは相互に交差する方向に複数条形成されてなることを特徴とする請求項２に記載の荷物受取用宅配ボックス。
【請求項４】
開閉扉は該扉の外側部が前記本体部の正面開口部の内側面に囲包されるように前記本体部に連結されてなることを特徴とする請求項１乃至３のいずれかに記載の荷物受取用宅配ボックス。
【請求項５】
施錠機構は、電動鍵による施錠、解錠機構および荷物受領書に対する捺印機構を有することを特徴とする請求項１乃至４のいずれかに記載の荷物受取用宅配ボックス。
【請求項６】
本体部はＰＰ樹脂材で形成され、化粧板および開閉扉はＡＥＳ樹脂材で形成されていることを特徴とする請求項１乃至５のいずれかに記載の荷物受取用宅配ボックス。
【発明の詳細な説明】
【技術分野】
【０００１】
本発明は戸建て住宅あるいは集合住宅における居住者不在時の荷物受取用宅配ボックスに関する。
【背景技術】
【０００２】
戸建て住宅あるいは集合住宅において、居住者が不在のときに、いわゆる宅配便などによって届けられる荷物は後日再配送されるのが一般的であるが、近年この再配送の手数や受取りの遅延をなくすために、家屋の入口近くに宅配荷物の受取ボックスを設置し、帰宅時に居住者が前記ボックスを開扉して荷物を受け取ることが行われている。このような不在時用受取ボックスとしては、戸建て用タイプのものと集合住宅用タイプのものに大別され、戸建て用としては屋外の玄関口近くの外壁ないし地面に固定状態に設置され、多層階の集合住宅用としては主として集合建物内の所定位置に各戸に応じた個別のボックスが設置されるのが普通である。
【０００３】
従来、例えば戸建て住宅の居住者が不在時に、配達者が荷物を前記住宅に付属した荷受けボックスに収納しておく場合に収容荷物の盗難の問題があるが、配達者による荷受けボックスの電子的な解錠、施錠の手段もすでに開示されている。しかし荷受けボックス自体の構造については、安価、軽量で簡単な構造を有し、かつ強度に優れ、また、防滴性、耐候性に富む構造のものは未だ開発されていない。
【０００４】
特許文献１の荷物受取用ロッカーに関しては、個人住宅の２枚引戸の一方を居住者の出入り用、他方を荷物受取用ロッカーの隠蔽用引戸とし、不在時にのみ配送者が前記ロッカー隠蔽用引戸を解錠して前記引戸を開き、露出した指定ロッカーに荷物を入れるという構造であり、受取ボックスあるいはロッカー自体は家屋の玄関内側に設置されたものである。
また、合成樹脂製のトレーを上下複数段に積み上げてキャビネットを構成したものとしては特許文献２に示すものがあり、すべての合成樹脂製トレーを一度にロックするオートロック機構を合成樹脂製の縦移動部材および横移動部材で構成したものが開示されている。そのほか、暗証キーによって配達者が施錠を解除し、配達物を保管可能とする配達物受取装置も開示されている（特許文献３）。
【先行技術文献】
【特許文献】
【０００５】
【特許文献１】特開平２−２３４７１０号公報
【特許文献２】特開２０１４−２２４３７６号公報
【特許文献３】特開昭６３−１３００１４号公報
【発明の概要】
【発明が解決しようとする課題】
【０００６】
戸建て住宅あるいは集合住宅において、居住者不在時の配達荷物の受取り装置については前述の如く従来から種々のものが開示されているが、いずれも家屋の壁面の内側あるいは玄関口の引戸の内側に受取り装置を設置する構造のもの、あるいは受取り装置の電子的な施錠、解錠に関するものであり、屋外に設置される受取り箱の構造、例えば軽量かつ簡単な構造にして耐荷重性、防滴性、防錆性、耐候性、その他、防犯性に優れ、しかも低コストの受取りボックスについては未だ開発されていない。
【０００７】
本発明は軽量化を図りつつ強度に優れ、また、防水、防錆性を有し、かつ、扉部分の破損や不正開扉をなくして防犯性を高めた低コストの荷物受取用宅配ボックスを提供することを目的とするものである。
【課題を解決するための手段】
【０００８】
本発明によれば、正面に開口部を有し、上下面、左右側面および背面が閉塞され樹脂成形加工により一体に形成されてなる本体部と、前記本体部の少なくとも左右側面および上面を覆うように形成された化粧板と、前記本体部に連結されてなり前記開口部を開閉自在とする開閉扉とを有し、前記開閉扉には施錠機構が設けられてなることを特徴とする荷物受取用宅配ボックスが提供される。
【０００９】
本発明の他の形態によれば、本体部の少なくとも外面に補強リブが形成されてなることを特徴とする。
【００１０】
本発明の他の形態によれば、補強リブは相互に交差する方向に複数条形成されてなることを特徴とする。
【００１１】
本発明の他の形態によれば、開閉扉は該扉の外側部が前記本体部の正面開口部の内側面に囲包されるように前記本体部に連結されてなることを特徴とする。
【００１２】
本発明の他の形態によれば、施錠機構は、電動鍵による施錠、解錠機構および荷物受領書に対する捺印機構を有することを特徴とする。
【００１３】
本発明の他の形態によれば、本体部はＰＰ樹脂材で形成され、化粧板および開閉扉はＡＥＳ樹脂材で形成されていることを特徴とする。
【発明の効果】
【００１４】
本発明によれば、軽量で強度に優れ、防水性、防錆性に富み、かつ防犯性に優れた低コストの荷物受取用宅配ボックスが得られる。
【図面の簡単な説明】
【００１５】
【図１】本発明の実施例に係る荷物受取用宅配ボックスの閉蓋状態における外観斜視図である。
【図２】図１に示す実施例で開蓋状態における荷物受取用宅配ボックスの外観斜視図である。
【図３】本発明の実施例に係る宅配ボックスの本体部の斜視図である。
【図４】図１の実施例における宅配ボックスの側面パネルの裏面を示した斜視図である。
【図５】本発明の実施例に係る荷物受取用宅配ボックスの分解状態における斜視図である。
【図６】図４に示す取り付けツメの拡大斜視図である。
【発明を実施するための形態】
【００１６】
次に、本発明を、その好適な実施例について、図面を参照しつつ説明する。この実施例の荷物受取用宅配ボックス１０は主として戸建て用のものであり、住宅の入口近くの地面あるいは基台上に設置される。また、望ましくは転倒防止、盗難防止のため建物の壁面に固定されるか地面に続く前記基台上にボルト等により固定される。
【００１７】
図１，図２の外観図に示すように、実施例の荷物受取用宅配ボックス１０は正面（前面）が開口した箱形の本体部１と、この本体部１の上面および左右側面を覆う化粧板４と、本体部正面の開口部を閉蓋・開蓋する開閉扉５と、開閉扉５に設けられた電動鍵機構部６とを有して構成され、本体部１の内方が荷物収納部として機能する。
【００１８】
図３を参照すれば、本体部１は、左右側面、底面、背面および上面が閉塞された箱形となっている。本体部１は、例えば、ＰＰ樹脂（ポリプロピレン）等の合成樹脂材で一体に成形される。また、本体部１の左右側面、背面および上面の外面には複数本の補強リブ８，９が本体部１と一体に成形される。実施例では、本体部１の各面外面の縁部に補強リブ８が形成されるとともに、本体部１の外面には相互に交わる複数条の補強リブ９が形成されている。これによって本体部１は継ぎ目のなく形成されるとともに全体としての強度が確保されている。
【００１９】
本体部１の底面及び背面も補強リブにより補強されてもよい。また、求められる強度に応じて、本体部１の各面の内面に補強リブが形成されてもよい。なお、本体部１の背面あるいは底面には宅配ボックスを固定するためのボルト孔（不図示）が形成されている。
【００２０】
図４は化粧板４の側面パネル３を、図５は本発明の実施例の宅配ボックス１０を本体部１と化粧板４と開閉扉５に分解して示したものである。本体部１の外面を覆う化粧板４は、上面パネル２および左右の側面パネル３で構成され、本体部１の左右側面および上面がこの化粧板４で覆われる。この化粧板４の各パネル２，３は、例えばＡＥＳ樹脂（アクリロニトリル・エチレン−プロピレン−ジエン・スチレン）等の合成樹脂材で形成されている。
【００２１】
化粧板４の側面パネル３は平板状に形成され、化粧板４の上面パネル２は平板上の天板の左右側部が本体部１の側部に向けてＬ形に折曲形成されている。化粧板４を本体部１に組み付けるには、左右の側面パネル３の裏面に設けられた取り付けツメ１３を本体部１の側部外面のツメ受け（不図示）に嵌合させるようにして側面パネル３を本体部１の側面に装着し、この状態で上面パネル２の左右側部のＬ形折曲部１６を側面パネル３の上部外面に被せるようにして上面パネル２を本体部上面に装着する。側面パネル３は本体部側部とパネル裏面の取り付けツメ１３との嵌合および上面パネル２のＬ形折曲部１６との係合により本体部１に確実に固定され、同時に上面パネル２も両側部のＬ形折曲部１６と側面パネル３との緊密な係合により、本体部１に有効に固着される。
【００２２】
なお、実施例では、化粧板４は一対の側面パネル３と上面パネル２から構成されているが、本体部１の底面と背面を覆うパネルを取り付けてもよい。さらに、各パネルを平板状に成形してもよいし、各パネルの側部をＬ型あるいはＵ型に屈曲してもよい。また化粧板全体を合成樹脂材で一体成形してもよい。さらに化粧板４の内面にも必要により補強リブが形成されてもよい。図１，図２に示されるように、本体部１の左右側面および上面は化粧板４によって外面が覆われるため、本体部外面の補強リブは外部には露出しない。
【００２３】
また、図４、図６に示すように本実施例において化粧板４は弾性のある取り付けツメ１３を本体部３の外面に設けられたツメ係止部（不図示）に係合させることにより本体部１に組み付けているが、ネジで止めてもよいし、化粧板４の裏面に嵌合用リブを設け、本体部１の補強リブに嵌め込み固定してもよいし、化粧板４の裏面に嵌合用凸部を設け、本体部１に設けた嵌合用凹部に嵌め込み固定してもよく、化粧板４の組み付け方法は限定されない。また、様々な色や風合いの化粧板４を用意することにより、利用者が好みの化粧板４を選択することができる。化粧板４の色彩、模様、風合いを作り出すために成形の前に樹脂基材に着色剤を混練させてもよいし、成形後の化粧板に塗装を施してもよいし、表面にフィルム加飾を施してもよい。
【００２４】
次に本体部１の前面開口を閉塞する開閉扉５について説明する。開閉扉５は、図２に示すように、片側部が蝶番７によって本体部１に対し開閉可能に連結されている。宅配の荷物は本体部１の正面から出し入れするようになっている。この実施例では開閉扉５は化粧板４と同様にＡＥＳ樹脂材による成形加工により形成され、その片側部が本体部１の前面開口部の側縁１ａに蝶番連結され、図３に示すヒンジ止用の軸１２により固定されている。図２に示すように、本体部１の開口部はその開口縁となる前面よりやや奥方に寄った内面位置に閉扉時の開閉扉５のストッパとなるストッパリブ１１が開口部内面周囲に形成されている。開閉扉５は閉扉状態では該扉５の側部全域（扉の左右側部、上側部および下側部）が本体部１の開口部内面１ｂに僅かな隙間を有して囲包され、この状態で開閉扉５の内面（裏面）周部が本体部１の開口部内面１ｂのストッパリブ１１に接当し、また開閉扉５の前面は本体部１の開口部の前面と略同一面となるように形成されている。
【００２５】
開閉扉５の蝶番連結部と反対側の扉前面位置に該扉５を施錠、解錠する電動鍵機構部６が組み込まれている。電動鍵機構部６は外部からの電子情報信号によって扉の施錠、解錠ができる形態のものであり、施錠、解錠、捺印機能が一体にブロック化されて開閉扉５に組み込まれている。なお、電動鍵機構部６の前面には開閉扉５を開けるときの係指凹部６ａが形成されている。
【００２６】
本発明では、開閉扉５の耐荷重性および開閉耐久性に特に配慮され、例えば上述したサイズの実施例のものにおいて、開扉状態で図２の矢印Ａ方向から扉先端部に２５０Ｎの荷重が加わった場合にも残留たわみ５ｍｍ以下で正常動作が可能なように扉５および本体部１の蝶番部の強度が設定されている。また、扉先端部に過大な荷重が加わった場合、蝶番部が破損して扉５が外れても、蝶番部の補修のみで扉自体および本体部１には破損が生じないように本体部１および扉５の強度設定がなされている。扉５の開閉耐久性としては約３３０００回の連続開閉後にも正常動作が確保されるような構造としている。
【００２７】
さらに、本発明の実施例では、前述したように開閉扉５の外側部が本体部１の開口端部の内面に囲包される構造のため、扉５の耐こじ開け性にも優れており、例えば本体部開口部近傍で図１の矢印Ｂ方向に２００Ｎの外力がかかった場合にも、扉５が開くことがないように設定されている。また、本体部１の上面に上方から９００Ｎの荷重がかかった場合にも、残留たわみ５ｍｍ以下で正常動作するように補強リブ８，９の本数、形状など本体部１の強度設定がなされている。さらに本体部１は左右側面、上面および背面の全体が一体形に成形された形態のため、防滴性に優れ、例えば雨量１２０ｍｍ／ｈで１時間散水後にも本体部内の荷物は濡れない構造としている。そのほか合成樹脂製で全体が構成されているため、防錆性、耐候性に優れた構造としている。また、鋼板製や板金製と異なり、全体が合成樹脂製のため軽量であり、低コストの荷物受取用宅配ボックスとすることができる。なお、荷物受取用宅配ボックス１０の大きさの一例として段ボール箱が収納できるように横巾（左右の巾）３９０ｍｍ、奥行き４５０ｍｍ、高さ５９０ｍｍとし、段ボール箱等が入る大きさとしているが、ゴルフバッグ等が収納できる縦置きタイプの大きさ等、これ以外の大きさのものであってもよいことは勿論である。
【００２８】
上記実施例は屋外設置タイプとして戸建て住宅に適用した例を示したが、本発明の荷物受取用宅配ボックスの他の実施の形態として、集合住宅や公共施設に設置される複数個組の宅配ボックスを示す。複数個組の宅配ボックスは、実施例に示す荷物受取用宅配ボックス１０を縦横複数個並べてネジ止め等により固定し、所望の個数と大きさの宅配ボックスを形成する。例えば１列３ボックスで４段積みの集合ボックス構造あるいは１列４ボックスで３段積みとして１箇所に合計１２ボックスの屋内設置形態として構成することもできる。尚、列と段の数はこれに限られるものではない。
【００２９】
また、本発明の荷物受取用宅配ボックスの他の実施の形態として、他の複数個組の宅配ボックスを示す。他の形態の荷物受取用宅配ボックスは実施例に示す宅配ボックス１０の本体部１を縦横複数個並べて固定し、かつ複数個並べて固定した本体部１の集合体全体の少なくとも上面と側面を化粧板で覆い所望の大きさの宅配ボックスを形成する。
【００３０】
本発明の実施例の構成によれば、荷物受取用宅配ボックス１０は、ボックス本体部１が成形加工による合成樹脂材で一体形に形成され、かつ各面が補強リブ８，９で補強されているため、板金製のものに比べて軽量で強度に優れた宅配ボックスが得られる。また、ボックスの各面が従来のような板金の接合形態でなく樹脂材の一体成形で形成されていることから防水性、防錆性に富む。さらに、開閉扉５もその外側部が前記本体部の正面開口部の内側面に囲包されるように構成されているため防犯性に優れている。ボックスの主要部全体は合成樹脂材で形成されているので低コストの荷物受取用宅配ボックスが得られる。
【符号の説明】
【００３１】
１０  荷物受取用宅配ボックス
１  本体部
２  上面パネル
３  側面パネル
４  化粧板
５  開閉扉
６  電動鍵機構部
７  蝶番
８，９  補強リブ
１１  ストッパリブ
１２  ヒンジ用軸
１３  取り付けツメ
１６  Ｌ形折曲部
【図１】
2020005899.tif 000003
【図２】
2020005899.tif 000004
【図３】
2020005899.tif 000005
【図４】
2020005899.tif 000006
【図５】
2020005899.tif 000007
【図６】
2020005899.tif 000008
【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
正面に開口部を有し、上下面、左右側面および背面が閉塞され樹脂成形加工により一体に形成されてなる本体部と、前記本体部の少なくとも左右側面および上面を覆うように形成された化粧板と、前記本体部に連結されてなり前記開口部を開閉自在とする開閉扉とを有し、前記開閉扉には施錠機構が設けられてなることを特徴とする荷物受取用宅配ボックス。
【請求項２】
本体部の少なくとも外面に補強リブが形成されてなることを特徴とする請求項１に記載の荷物受取用宅配ボックス。
【請求項３】
補強リブは相互に交差する方向に複数条形成されてなることを特徴とする請求項２に記載の荷物受取用宅配ボックス。
【請求項４】
開閉扉は該扉の外側部が前記本体部の正面開口部の内側面に囲包されるように前記本体部に連結されてなることを特徴とする請求項１乃至３のいずれかに記載の荷物受取用宅配ボックス。
【請求項５】
施錠機構は、電動鍵による施錠、解錠機構を有することを特徴とする請求項１乃至４のいずれかに記載の荷物受取用宅配ボックス。
【請求項６】
本体部はＰＰ樹脂材で形成され、化粧板および開閉扉はＡＥＳ樹脂材で形成されていることを特徴とする請求項１乃至５のいずれかに記載の荷物受取用宅配ボックス。
【手続補正２】
【補正対象書類名】明細書
【補正対象項目名】全文
【補正方法】変更
【補正の内容】
【発明の詳細な説明】
【技術分野】
【０００１】
本発明は戸建て住宅あるいは集合住宅における居住者不在時の荷物受取用宅配ボックスに関する。
【背景技術】
【０００２】
戸建て住宅あるいは集合住宅において、居住者が不在のときに、いわゆる宅配便などによって届けられる荷物は後日再配送されるのが一般的であるが、近年この再配送の手数や受取りの遅延をなくすために、家屋の入口近くに宅配荷物の受取ボックスを設置し、帰宅時に居住者が前記ボックスを開扉して荷物を受け取ることが行われている。このような不在時用受取ボックスとしては、戸建て用タイプのものと集合住宅用タイプのものに大別され、戸建て用としては屋外の玄関口近くの外壁ないし地面に固定状態に設置され、多層階の集合住宅用としては主として集合建物内の所定位置に各戸に応じた個別のボックスが設置されるのが普通である。
【０００３】
従来、例えば戸建て住宅の居住者が不在時に、配達者が荷物を前記住宅に付属した荷受けボックスに収納しておく場合に収容荷物の盗難の問題があるが、配達者による荷受けボックスの電子的な解錠、施錠の手段もすでに開示されている。しかし荷受けボックス自体の構造については、安価、軽量で簡単な構造を有し、かつ強度に優れ、また、防滴性、耐候性に富む構造のものは未だ開発されていない。
【０００４】
特許文献１の荷物受取用ロッカーに関しては、個人住宅の２枚引戸の一方を居住者の出入り用、他方を荷物受取用ロッカーの隠蔽用引戸とし、不在時にのみ配送者が前記ロッカー隠蔽用引戸を解錠して前記引戸を開き、露出した指定ロッカーに荷物を入れるという構造であり、受取ボックスあるいはロッカー自体は家屋の玄関内側に設置されたものである。
また、合成樹脂製のトレーを上下複数段に積み上げてキャビネットを構成したものとしては特許文献２に示すものがあり、すべての合成樹脂製トレーを一度にロックするオートロック機構を合成樹脂製の縦移動部材および横移動部材で構成したものが開示されている。そのほか、暗証キーによって配達者が施錠を解除し、配達物を保管可能とする配達物受取装置も開示されている（特許文献３）。
【先行技術文献】
【特許文献】
【０００５】
【特許文献１】特開平２−２３４７１０号公報
【特許文献２】特開２０１４−２２４３７６号公報
【特許文献３】特開昭６３−１３００１４号公報
【発明の概要】
【発明が解決しようとする課題】
【０００６】
戸建て住宅あるいは集合住宅において、居住者不在時の配達荷物の受取り装置については前述の如く従来から種々のものが開示されているが、いずれも家屋の壁面の内側あるいは玄関口の引戸の内側に受取り装置を設置する構造のもの、あるいは受取り装置の電子的な施錠、解錠に関するものであり、屋外に設置される受取り箱の構造、例えば軽量かつ簡単な構造にして耐荷重性、防滴性、防錆性、耐候性、その他、防犯性に優れ、しかも低コストの受取りボックスについては未だ開発されていない。
【０００７】
本発明は軽量化を図りつつ強度に優れ、また、防水、防錆性を有し、かつ、扉部分の破損や不正開扉をなくして防犯性を高めた低コストの荷物受取用宅配ボックスを提供することを目的とするものである。
【課題を解決するための手段】
【０００８】
本発明によれば、正面に開口部を有し、上下面、左右側面および背面が閉塞され樹脂成形加工により一体に形成されてなる本体部と、前記本体部の少なくとも左右側面および上面を覆うように形成された化粧板と、前記本体部に連結されてなり前記開口部を開閉自在とする開閉扉とを有し、前記開閉扉には施錠機構が設けられてなることを特徴とする荷物受取用宅配ボックスが提供される。
【０００９】
本発明の他の形態によれば、本体部の少なくとも外面に補強リブが形成されてなることを特徴とする。
【００１０】
本発明の他の形態によれば、補強リブは相互に交差する方向に複数条形成されてなることを特徴とする。
【００１１】
本発明の他の形態によれば、開閉扉は該扉の外側部が前記本体部の正面開口部の内側面に囲包されるように前記本体部に連結されてなることを特徴とする。
【００１２】
本発明の他の形態によれば、施錠機構は、電動鍵による施錠、解錠機構を有することを特徴とする。
【００１３】
本発明の他の形態によれば、本体部はＰＰ樹脂材で形成され、化粧板および開閉扉はＡＥＳ樹脂材で形成されていることを特徴とする。
【発明の効果】
【００１４】
本発明によれば、軽量で強度に優れ、防水性、防錆性に富み、かつ防犯性に優れた低コストの荷物受取用宅配ボックスが得られる。
【図面の簡単な説明】
【００１５】
【図１】本発明の実施例に係る荷物受取用宅配ボックスの閉蓋状態における外観斜視図である。
【図２】図１に示す実施例で開蓋状態における荷物受取用宅配ボックスの外観斜視図である。
【図３】本発明の実施例に係る宅配ボックスの本体部の斜視図である。
【図４】図１の実施例における宅配ボックスの側面パネルの裏面を示した斜視図である。
【図５】本発明の実施例に係る荷物受取用宅配ボックスの分解状態における斜視図である。
【図６】図４に示す取り付けツメの拡大斜視図である。
【発明を実施するための形態】
【００１６】
次に、本発明を、その好適な実施例について、図面を参照しつつ説明する。この実施例の荷物受取用宅配ボックス１０は主として戸建て用のものであり、住宅の入口近くの地面あるいは基台上に設置される。また、望ましくは転倒防止、盗難防止のため建物の壁面に固定されるか地面に続く前記基台上にボルト等により固定される。
【００１７】
図１，図２の外観図に示すように、実施例の荷物受取用宅配ボックス１０は正面（前面）が開口した箱形の本体部１と、この本体部１の上面および左右側面を覆う化粧板４と、本体部正面の開口部を閉蓋・開蓋する開閉扉５と、開閉扉５に設けられた電動鍵機構部６とを有して構成され、本体部１の内方が荷物収納部として機能する。
【００１８】
図３を参照すれば、本体部１は、左右側面、底面、背面および上面が閉塞された箱形となっている。本体部１は、例えば、ＰＰ樹脂（ポリプロピレン）等の合成樹脂材で一体に成形される。また、本体部１の左右側面、背面および上面の外面には複数本の補強リブ８，９が本体部１と一体に成形される。実施例では、本体部１の各面外面の縁部に補強リブ８が形成されるとともに、本体部１の外面には相互に交わる複数条の補強リブ９が形成されている。これによって本体部１は継ぎ目のなく形成されるとともに全体としての強度が確保されている。
【００１９】
本体部１の底面及び背面も補強リブにより補強されてもよい。また、求められる強度に応じて、本体部１の各面の内面に補強リブが形成されてもよい。なお、本体部１の背面あるいは底面には宅配ボックスを固定するためのボルト孔（不図示）が形成されている。
【００２０】
図４は化粧板４の側面パネル３を、図５は本発明の実施例の宅配ボックス１０を本体部１と化粧板４と開閉扉５に分解して示したものである。本体部１の外面を覆う化粧板４は、上面パネル２および左右の側面パネル３で構成され、本体部１の左右側面および上面がこの化粧板４で覆われる。この化粧板４の各パネル２，３は、例えばＡＥＳ樹脂（アクリロニトリル・エチレン−プロピレン−ジエン・スチレン）等の合成樹脂材で形成されている。
【００２１】
化粧板４の側面パネル３は平板状に形成され、化粧板４の上面パネル２は平板上の天板の左右側部が本体部１の側部に向けてＬ形に折曲形成されている。化粧板４を本体部１に組み付けるには、左右の側面パネル３の裏面に設けられた取り付けツメ１３を本体部１の側部外面のツメ受け（不図示）に嵌合させるようにして側面パネル３を本体部１の側面に装着し、この状態で上面パネル２の左右側部のＬ形折曲部１６を側面パネル３の上部外面に被せるようにして上面パネル２を本体部上面に装着する。側面パネル３は本体部側部とパネル裏面の取り付けツメ１３との嵌合および上面パネル２のＬ形折曲部１６との係合により本体部１に確実に固定され、同時に上面パネル２も両側部のＬ形折曲部１６と側面パネル３との緊密な係合により、本体部１に有効に固着される。
【００２２】
なお、実施例では、化粧板４は一対の側面パネル３と上面パネル２から構成されているが、本体部１の底面と背面を覆うパネルを取り付けてもよい。さらに、各パネルを平板状に成形してもよいし、各パネルの側部をＬ型あるいはＵ型に屈曲してもよい。また化粧板全体を合成樹脂材で一体成形してもよい。さらに化粧板４の内面にも必要により補強リブが形成されてもよい。図１，図２に示されるように、本体部１の左右側面および上面は化粧板４によって外面が覆われるため、本体部外面の補強リブは外部には露出しない。
【００２３】
また、図４、図６に示すように本実施例において化粧板４は弾性のある取り付けツメ１３を本体部３の外面に設けられたツメ係止部（不図示）に係合させることにより本体部１に組み付けているが、ネジで止めてもよいし、化粧板４の裏面に嵌合用リブを設け、本体部１の補強リブに嵌め込み固定してもよいし、化粧板４の裏面に嵌合用凸部を設け、本体部１に設けた嵌合用凹部に嵌め込み固定してもよく、化粧板４の組み付け方法は限定されない。また、様々な色や風合いの化粧板４を用意することにより、利用者が好みの化粧板４を選択することができる。化粧板４の色彩、模様、風合いを作り出すために成形の前に樹脂基材に着色剤を混練させてもよいし、成形後の化粧板に塗装を施してもよいし、表面にフィルム加飾を施してもよい。
【００２４】
次に本体部１の前面開口を閉塞する開閉扉５について説明する。開閉扉５は、図２に示すように、片側部が蝶番７によって本体部１に対し開閉可能に連結されている。宅配の荷物は本体部１の正面から出し入れするようになっている。この実施例では開閉扉５は化粧板４と同様にＡＥＳ樹脂材による成形加工により形成され、その片側部が本体部１の前面開口部の側縁１ａに蝶番連結され、図３に示すヒンジ止用の軸１２により固定されている。図２に示すように、本体部１の開口部はその開口縁となる前面よりやや奥方に寄った内面位置に閉扉時の開閉扉５のストッパとなるストッパリブ１１が開口部内面周囲に形成されている。開閉扉５は閉扉状態では該扉５の側部全域（扉の左右側部、上側部および下側部）が本体部１の開口部内面１ｂに僅かな隙間を有して囲包され、この状態で開閉扉５の内面（裏面）周部が本体部１の開口部内面１ｂのストッパリブ１１に接当し、また開閉扉５の前面は本体部１の開口部の前面と略同一面となるように形成されている。
【００２５】
開閉扉５の蝶番連結部と反対側の扉前面位置に該扉５を施錠、解錠する電動鍵機構部６が組み込まれている。電動鍵機構部６は外部からの電子情報信号によって扉の施錠、解錠ができる形態のものであり、施錠、解錠機構が一体にブロック化されて開閉扉５に組み込まれている。なお、電動鍵機構部６の前面には開閉扉５を開けるときの係指凹部６ａが形成されている。
【００２６】
本発明では、開閉扉５の耐荷重性および開閉耐久性に特に配慮され、例えば上述したサイズの実施例のものにおいて、開扉状態で図２の矢印Ａ方向から扉先端部に荷重が加わった場合にも正常動作が可能なように扉５および本体部１の蝶番部の強度が設定されている。また、扉先端部に過大な荷重が加わった場合、蝶番部が破損して扉５が外れても、蝶番部の補修のみで扉自体および本体部１には破損が生じないように本体部１および扉５の強度設定がなされている。扉５の開閉耐久性としては連続開閉後にも正常動作が確保されるような構造としている。
【００２７】
さらに、本発明の実施例では、前述したように開閉扉５の外側部が本体部１の開口端部の内面に囲包される構造のため、扉５の耐こじ開け性にも優れており、例えば本体部開口部近傍で図１の矢印Ｂ方向に外力がかかった場合にも、扉５が開くことがないように設定されている。また、本体部１の上面に上方から荷重がかかった場合にも正常動作するように補強リブ８，９の本数、形状など本体部１の強度設定がなされている。さらに本体部１は左右側面、上面および背面の全体が一体形に成形された形態のため、防滴性に優れ、例えば１時間散水後にも本体部内の荷物は濡れない構造としている。そのほか合成樹脂製で全体が構成されているため、防錆性、耐候性に優れた構造としている。また、鋼板製や板金製と異なり、全体が合成樹脂製のため軽量であり、低コストの荷物受取用宅配ボックスとすることができる。なお、荷物受取用宅配ボックス１０の大きさの一例として段ボール箱等が入る大きさとしているが、ゴルフバッグ等が収納できる縦置きタイプの大きさ等、これ以外の大きさのものであってもよいことは勿論である。
【００２８】
上記実施例は屋外設置タイプとして戸建て住宅に適用した例を示したが、本発明の荷物受取用宅配ボックスの他の実施の形態として、集合住宅や公共施設に設置される複数個組の宅配ボックスを示す。複数個組の宅配ボックスは、実施例に示す荷物受取用宅配ボックス１０を縦横複数個並べてネジ止め等により固定し、所望の個数と大きさの宅配ボックスを形成する。例えば１列３ボックスで４段積みの集合ボックス構造あるいは１列４ボックスで３段積みとして１箇所に合計１２ボックスの屋内設置形態として構成することもできる。尚、列と段の数はこれに限られるものではない。
【００２９】
また、本発明の荷物受取用宅配ボックスの他の実施の形態として、他の複数個組の宅配ボックスを示す。他の形態の荷物受取用宅配ボックスは実施例に示す宅配ボックス１０の本体部１を縦横複数個並べて固定し、かつ複数個並べて固定した本体部１の集合体全体の少なくとも上面と側面を化粧板で覆い所望の大きさの宅配ボックスを形成する。
【００３０】
本発明の実施例の構成によれば、荷物受取用宅配ボックス１０は、ボックス本体部１が成形加工による合成樹脂材で一体形に形成され、かつ各面が補強リブ８，９で補強されているため、板金製のものに比べて軽量で強度に優れた宅配ボックスが得られる。また、ボックスの各面が従来のような板金の接合形態でなく樹脂材の一体成形で形成されていることから防水性、防錆性に富む。さらに、開閉扉５もその外側部が前記本体部の正面開口部の内側面に囲包されるように構成されているため防犯性に優れている。ボックスの主要部全体は合成樹脂材で形成されているので低コストの荷物受取用宅配ボックスが得られる。
【符号の説明】
【００３１】
１０  荷物受取用宅配ボックス
１  本体部
２  上面パネル
３  側面パネル
４  化粧板
５  開閉扉
６  電動鍵機構部
７  蝶番
８，９  補強リブ
１１  ストッパリブ
１２  ヒンジ用軸
１３  取り付けツメ
１６  Ｌ形折曲部
【手続補正書】
【提出日】令和1年5月29日(2019.5.29)
【手続補正１】
【補正対象書類名】特許請求の範囲
【補正対象項目名】全文
【補正方法】変更
【補正の内容】
【特許請求の範囲】
【請求項１】
正面に開口部を有し、上下面、左右側面および背面が閉塞され樹脂成形加工により一体に形成された本体部と、前記本体部の少なくとも左右側面および上面を覆うように形成された化粧板と、前記本体部に連結されてなり前記開口部を開閉自在とする開閉扉とを有し、前記開閉扉には施錠機構が設けられてなり、
前記本体部の少なくとも外面に補強リブが形成されてなり、
前記化粧板は、前記本体部の左右側面の補強リブを覆うよう組み付けられる側面パネルと、前記本体部の上面の補強リブを覆うよう組み付けられる上面パネルとで構成されることを特徴とする荷物受取用宅配ボックス。
【請求項２】
前記側面パネルは、当該側面パネルの裏面に設けられた取り付けツメと前記本体部の側面に設けられたツメ受けとの嵌合により前記本体部の側面に装着され、
前記上面パネルは左右側部において本体部の側面に向けてＬ形に折曲形成されたＬ形折曲部を有し、前記Ｌ形折曲部を前記側面パネルの上部外面に被せるようにして前記本体部の上面に装着されることを特徴とする請求項１に記載の荷物受取用宅配ボックス。
【請求項３】
補強リブは相互に交差する方向に複数条形成されてなることを特徴とする請求項１に記載の荷物受取用宅配ボックス。
【請求項４】
開閉扉は該扉の外側部が前記本体部の正面開口部の内側面に囲包されるように前記本体部に連結されてなることを特徴とする請求項１乃至３のいずれかに記載の荷物受取用宅配ボックス。
【請求項５】
施錠機構は、電動鍵による施錠、解錠機構を有することを特徴とする請求項１乃至４のいずれかに記載の荷物受取用宅配ボックス。
【請求項６】
本体部はＰＰ樹脂材で形成され、化粧板および開閉扉はＡＥＳ樹脂材で形成されていることを特徴とする請求項１乃至５のいずれかに記載の荷物受取用宅配ボックス。
【手続補正２】
【補正対象書類名】明細書
【補正対象項目名】０００８
【補正方法】変更
【補正の内容】
【０００８】
本発明によれば、正面に開口部を有し、上下面、左右側面および背面が閉塞され樹脂成形加工により一体に形成されてなる本体部と、前記本体部の少なくとも左右側面および上面を覆うように形成された化粧板と、前記本体部に連結されてなり前記開口部を開閉自在とする開閉扉とを有し、前記開閉扉には施錠機構が設けられてなり、前記本体部の少なくとも外面に補強リブが形成されてなり、前記化粧板は、前記本体部の左右側面の補強リブを覆うよう組み付けられる側面パネルと、前記本体部の上面の補強リブを覆うよう組み付けられる上面パネルとで構成されることを特徴とする荷物受取用宅配ボックスが提供される。
【手続補正３】
【補正対象書類名】明細書
【補正対象項目名】０００９
【補正方法】変更
【補正の内容】
【０００９】
本発明の他の形態によれば、前記側面パネルは平板状に形成され、当該側面パネルの裏面に設けられた取り付けツメと前記本体部の側面に設けられたツメ受けとの嵌合により前記本体部の側面に装着され、前記上面パネルは平板状で且つ左右側部において本体部の側面に向けてＬ形に折曲形成されたＬ形折曲部を有し、前記Ｌ形折曲部を前記側面パネルの上部外面に被せるようにして前記本体部の上面に装着されることを特徴とする。